(57)【要約】      （修正有）【課題】ユーザ認証装置とそれを登載した自動車に関するもので、使い勝手を良くする。【解決手段】ゲストが電源スイッチ１１ａによって自動車駆動手段１１を起動させることを許可するゲスト起動許可情報を、情報記憶部１２に記憶させるゲスト起動許可登録モードを実行可能とし、制御部１０は、前記ゲスト起動許可登録モードが実行された場合で、近距離通信読取部１３によって、自動車ドアの開錠キー情報を読み取った場合には、電源スイッチ１１ａによって自動車駆動手段１１を起動させる構成としたので、ユーザが運転を変わることを依頼した人であれば、ユーザに成り代わって自動車１を運転することができるようになり、極めて使い勝手の良いものとなるのである。【選択図】図４
2015136960.tif 000002
【特許請求の範囲】
【請求項１】
認証用カメラと、この認証用カメラに接続した制御部と、この制御部に接続した自動車駆動手段用の起動手段、情報記憶部、近距離通信読取部とを備え、前記制御部は、
前記近距離通信読取部で読み取った運転免許証情報を、前記情報記憶部に記憶させるとともに、前記認証用カメラで撮影した撮影者情報を、前記情報記憶部に記憶させるユーザ登録モードと、
このユーザ登録モード後に、前記認証用カメラで撮影した撮影情報を、前記情報記憶部に記憶させた撮影者情報と比較し、次に、前記起動手段によって自動車駆動手段を起動させる登録者起動モードと、
ゲストが前記起動手段によって自動車駆動手段を起動させることを許可するゲスト起動許可情報を、前記情報記憶部に記憶させるゲスト起動許可登録モードを実行可能とし、
前記制御部は、前記ゲスト起動許可登録モードが実行された場合で、前記近距離通信読取部によって、自動車ドアの開錠キー情報を読み取った場合には、前記起動手段によって自動車駆動手段を起動させる構成としたユーザ認証装置。
【請求項２】
制御部は、ゲストによる自動車駆動手段の起動を複数回許可する構成とした請求項１に記載のユーザ認証装置。
【請求項３】
制御部は、複数人のゲストによる自動車駆動手段の起動を許可する構成とした請求項１または２に記載のユーザ認証装置。
【請求項４】
制御部は、登録者起動モードにおいて、近距離通信読取部に自動車ドアの開錠キーを継続的に接近させた時間に応じて、ゲストの許可回数を増加する構成とした請求項１〜３のいずれか一つに記載のユーザ認証装置。
【請求項５】
請求項１〜４のいずれか一つに記載のユーザ認証装置を車内に配置した自動車。
【発明の詳細な説明】
【技術分野】
【０００１】
本発明は、ユーザ認証装置と、それを搭載した自動車に関するものである。
【背景技術】
【０００２】
例えば、自動車では、登録したユーザしか自動車駆動手段（例えばエンジン）を起動させることができないようにしたものが提案されている。
【０００３】
具体的には、認証用カメラでユーザの虹彩を撮影して情報記憶部に登録し、次に、前記認証用カメラで撮影した虹彩が、登録している虹彩情報と一致する場合にのみ、自動車駆動手段を起動させることが可能となるものである（これに、類似する技術に対する先行文献としては、例えば下記特許文献１が存在する）。
【先行技術文献】
【特許文献】
【０００４】
【特許文献１】特開２０００−１６８５０２号公報
【発明の概要】
【発明が解決しようとする課題】
【０００５】
上記従来例においては、虹彩が各人ごとに異なるので、登録したユーザしか自動車駆動手段（例えばエンジン）を起動させることができず、これによって自動車の盗難などが回避できる。
【０００６】
しかしながら、このような構成とすると、ユーザが運転を変わることを依頼した人ですら、運転をすることができなくなる。
【０００７】
例えば、ホテルの従業員に自動車を駐車場に移動させることを依頼したり、駐車場の自動車を玄関まで移動させたりすることも依頼することができなくなり、極めて使い勝手の悪いものとなる。
【０００８】
そこで、本発明は、使い勝手を良くすることを目的とするものである。
【課題を解決するための手段】
【０００９】
そしてこの目的を達成するために本発明は、認証用カメラと、この認証用カメラに接続した制御部と、この制御部に接続した自動車駆動手段用の起動手段、情報記憶部、近距離通信読取部とを備え、前記制御部は、前記近距離通信読取部で読み取った運転免許証情報を、前記情報記憶部に記憶させるとともに、前記認証用カメラで撮影した撮影者情報を、前記情報記憶部に記憶させるユーザ登録モードと、このユーザ登録モード後に、前記認証用カメラで撮影した撮影情報を、前記情報記憶部に記憶させた撮影者情報と比較し、次に、前記起動手段によって自動車駆動手段を起動させる登録者起動モードと、ゲストが前記起動手段によって自動車駆動手段を起動させることを許可するゲスト起動許可情報を、前記情報記憶部に記憶させるゲスト起動許可登録モードを実行可能とし、前記制御部は、前記ゲスト起動許可登録モードが実行された場合で、前記近距離通信読取部によって、自動車ドアの開錠キー情報を読み取った場合には、前記起動手段によって自動車駆動手段を起動させる構成とし、これにより所期の目的を達成するものである。
【発明の効果】
【００１０】
以上のように本発明は、認証用カメラと、この認証用カメラに接続した制御部と、この
制御部に接続した自動車駆動手段用の起動手段、情報記憶部、近距離通信読取部とを備え、前記制御部は、前記近距離通信読取部で読み取った運転免許証情報を、前記情報記憶部に記憶させるとともに、前記認証用カメラで撮影した撮影者情報を、前記情報記憶部に記憶させるユーザ登録モードと、このユーザ登録モード後に、前記認証用カメラで撮影した撮影情報を、前記情報記憶部に記憶させた撮影者情報と比較し、次に、前記起動手段によって自動車駆動手段を起動させる登録者起動モードと、ゲストが前記起動手段によって自動車駆動手段を起動させることを許可するゲスト起動許可情報を、前記情報記憶部に記憶させるゲスト起動許可登録モードを実行可能とし、前記制御部は、前記ゲスト起動許可登録モードが実行された場合で、前記近距離通信読取部によって、自動車ドアの開錠キー情報を読み取った場合には、前記起動手段によって自動車駆動手段を起動させる構成としたので、極めて使い勝手の良いものとなる。
【００１１】
すなわち、本発明は、ゲストが前記起動手段によって自動車駆動手段を起動させることを許可するゲスト起動許可情報を、前記情報記憶部に記憶させるゲスト起動許可登録モードを実行可能とし、制御部は、前記ゲスト起動許可登録モードが実行された場合で、近距離通信読取部によって、自動車ドアの開錠キー情報を読み取った場合には、起動手段によって自動車駆動手段を起動させる構成としたので、ユーザが運転を変わることを依頼した人であれば、ユーザに成り代わって自動車を運転することができるようになり、極めて使い勝手の良いものとなるのである。
【図面の簡単な説明】
【００１２】
【図１】本発明の一実施形態のユーザ認証装置を搭載した自動車を示す平面図
【図２】同、自動車の車内を示す正面図
【図３】同、自動車の車内を示す拡大正面図
【図４】同、ユーザ認証装置の制御ブロック図
【図５】同、自動車の開錠キーの制御ブロック図
【図６】同、ユーザ認証装置の動作フローチャート
【図７】同、ユーザ認証装置の動作を示す図
【図８】同、ユーザ認証装置の動作を示す図
【図９】同、ユーザ認証装置の動作フローチャート
【図１０】同、ユーザ認証装置の動作を示す図
【図１１】同、ユーザ認証装置の動作フローチャート
【図１２】同、ユーザ認証装置の情報記憶部を示す図
【発明を実施するための形態】
【００１３】
以下、本発明の一実施形態にかかるユーザ認証装置を自動車に搭載した例を、添付図面を用いて説明する。
【００１４】
（実施の形態１）
図１において、自動車１は、図２に示すごとく、その車内２の前方には、ハンドル３が配置され、このハンドル３の側方には、電子機器４が配置されている。
【００１５】
この電子機器４は、表示部５を備え、この表示部５には、よく知られているように、音楽情報や地図情報が表示されるようになっている。
【００１６】
また、車内２のハンドル３前方には、図３のごとく、スピードメータ６とタコメータ７が配置され、このスピードメータ６とタコメータ７間には、オートマチックギアの状態を知らしらめる表示部８と、認証用カメラ９が配置されている。
【００１７】
この認証用カメラ９は、ユーザの目の虹彩を読み取るためのものであり、図４に示すご
とく、制御部１０に接続されている。
【００１８】
また、この制御部１０には、自動車駆動手段１１（例えばエンジンやモータ）用の起動手段の一例として電源スイッチ１１ａが接続されている。
【００１９】
さらに、この制御部１０には、情報記憶部１２、近距離通信読取部１３、ドア開閉用のドアリモコン送受信機１４、スピーカ１５、前記表示部５が接続されている。
【００２０】
この内、情報記憶部１２は、近距離通信読取部１３で読み取った運転免許証情報や、前記認証用カメラ９で撮影した虹彩情報（撮影者情報）や、ドア施錠、開錠情報や、動作プログラムや、地図情報や、音楽情報等が記憶されるものであるが、地図情報や、音楽情報等は、よく知られたものであるので、説明の煩雑化を避けるため、以降は説明を省略する。
【００２１】
また、近距離通信読取部１３は、図２に示すように電子機器４の表示部５近傍に配置され、これに運転免許証や、図１に示すドア開錠キー１６を近づけると、それらから情報を読み取り、一旦、情報記憶部１２に記憶されるような構成となっている。
【００２２】
なお、図４のスピーカ１５は、車内２に音を出力するためのものである。
【００２３】
前記ドア開錠キー１６は、キーレスエントリーとして用いられているものであるが、特徴的なのは、近距離通信部１７を設けた点である。
【００２４】
つまり、キーレスエントリーとしても基本的な構成として、ドア施錠装置（図示せず）のドアリモコン送受信機１４との交信を行う送受信部１８は、制御部１９に接続されている。
【００２５】
また、制御部１９には操作部２０、記憶部２１が接続されており、自動車１に接近すれば、前記自動車１のドア施錠装置（図示せず）のドアリモコン送受信機１４との間で、無線による交信が行われ、制御部１０でキーが照合されれば、開錠が行える。
【００２６】
さらに、操作部２０を操作することで、遠方から前記自動車１のドア施錠装置（図示せず）を開錠することもできる。
【００２７】
このようなドアの開錠操作は一般的なので、説明の煩雑化を避けるため、以上のような簡単な説明に止める。
【００２８】
以上のような構成において、自動車１を購入したユーザは、先ずは、基本的には、自分以外の人間が勝手に自動車駆動手段１１（例えばエンジンやモータ）を起動することが出来ない様に、本人登録を行う。
【００２９】
先ずは、自動車駆動手段１１（例えばエンジンやモータ）を起動するために、車内２の起動スイッチ２２を操作する（図６のＳ１）。
【００３０】
すると、制御部１０は虹彩認証処理を実行する（図６のＳ２）。
【００３１】
すなわち、認証用カメラ９によってユーザの目の虹彩を読み取り、次に、情報記憶部１２に登録されている虹彩情報と比較するのである。
【００３２】
この場合、車内２の起動スイッチ２２を操作すると、図３に示す認証用カメラ９近傍の
表示部８を点滅させることで注意をひきつけるようにすれば、簡単にユーザの虹彩を撮影することができる。
【００３３】
初期状態では、ユーザの虹彩情報はまだ情報記憶部１２に登録されていないので、このときには、（図６のＳ３）では、認証失敗の状態となり、次には、ユーザ登録モードへと移行する（図６のＳ４）。
【００３４】
すなわち、制御部１０は、図７（ａ）のごとく、表示部５に虹彩情報が登録されていないことを表示させ、続いて、図７（ｂ）のごとく、表示部５に、運転免許証を近距離通信読取部１３にかざす（接近させる）ことを促す表示をさせる（図６のＳ４）。
【００３５】
次に、制御部１０は近距離通信読取部１３によって運転免許証の情報を読み取り、その情報を情報記憶部１２に記憶させる（図６のＳ５）。
【００３６】
次に、制御部１０は、表示部５に図７（ｃ）のごとく、認証用カメラ９を注視する様、促す表示をさせる（図６のＳ５）。
【００３７】
その後、制御部１０は虹彩を撮影し（図６のＳ６）、また、表示部５には図７（ｄ）のごとく、虹彩を撮影中であることを表示させる。
【００３８】
続いて、制御部１０は撮影済みの虹彩をユーザ情報として情報記憶部１２に登録し（図６のＳ７）、次に、すでに登録済みの運転免許証情報と関連付けを行い（図６のＳ８）、表示部５に図７（ｅ）のごとく登録が完了した旨の表示をさせ、登録作業を終了させる（図６のＳ９）。
【００３９】
図１２は、情報記憶部１２内のユーザ情報部分についての登録情報を示したもので、前記運転免許証情報は、運転免許証情報部２３に記憶され、また虹彩情報は虹彩情報部２４に記憶され、また、後述するがゲスト情報はゲストメンバー情報部２５に記憶される。
【００４０】
したがって、この登録後には、（図６のＳ３）で、運転免許証情報部２３からは運転免許証情報、また虹彩情報部２４からは虹彩情報が読み出され、認証は成功状態となる。
【００４１】
すると、制御部１０は資格者設定（例えばエンジン始動許可）を読み出し（図６のＳ１０）、次に、電源スイッチ１１ａをＯＮし（図６のＳ１１）、自動車駆動手段１１（例えばエンジンやモータ）を起動し、認証動作を終了させる（図６のＳ１２）。
【００４２】
次に、ゲスト起動許可登録モードについて説明する。
【００４３】
これは、例えば、ホテルの従業員に自動車１を駐車場に移動させることを依頼したり、駐車場の自動車１を玄関まで移動させたりすることも依頼するために、ゲストでも自動車駆動手段１１（例えばエンジンやモータ）を起動することが出来るようにするためのものである。
【００４４】
本実施形態においては、このような場合、ユーザが図８のごとく、自動車駆動手段１１（例えばエンジンやモータ）が起動中の状態で、近距離通信読取部１３にドア開錠キー１６を近づける（図９のＳ１）。
【００４５】
すると、制御部１０は近距離通信読取部１３を介してドア開錠キー１６の情報を読みとり（図９のＳ２）、次に、情報記憶部１２のドア開錠キー情報部２６（図１２参照）に記憶されたドア開錠キー情報と照合し、その結果として、図１２に示したゲストメンバー情
報部２５の初期化を行う（図９のＳ３）。
【００４６】
本実施形態では、ゲストメンバー情報部２５は３人のゲストに、自動車駆動手段１１（例えばエンジンやモータ）の起動を許可するようにしているので、この図１２に示す３人の残回数をいずれもゼロに、また虹彩情報も無しの状態とする。
【００４７】
つまり、例えばホテルであれば、従業員の交代もあるので、複数人をゲストとして認証するものである。
【００４８】
その後、制御部１０は表示部５に図１０（ａ）のごとく、ゲスト起動許可登録モードに入ったことを表示させる。
【００４９】
つまり、図８の状態を維持していれば、近距離通信読取部１３とドア開錠キー１６の交信が継続され、その継続時間にしたがって、例えば１秒経過ごとに、各ゲストごとの許可回数が、１、２、３と増加する（図９のＳ４、Ｓ５）。
【００５０】
そして、この回数を図１０（ａ）の表示で確認し、ユーザが希望する回数に到達すると、近距離通信読取部１３からドア開錠キー１６を離し、近距離通信読取部１３とドア開錠キー１６の交信を停止する。
【００５１】
すると、制御部１０はゲスト起動許可登録モードの終了を検出し、図１０（ｂ）のごとく、その動作の終了を報知する（図９のＳ６）。
【００５２】
本実施形態では、このゲスト起動許可登録モードの終了後には、自動車駆動手段１１（例えばエンジンやモータ）を停止し、ユーザが下車し、ドアが施錠された状態から、ゲスト（例えばホテルの従業員）が、代理として運転を行う状態で、説明を続ける。
【００５３】
この場合は、ゲストはドア開錠キー１６を貸与されているので、このドア開錠キー１６を持った状態で、自動車１に近づくことになる。
【００５４】
すると、制御部１０はそのドアリモコン送受信機１４によってドア開錠キー１６と交信し、開錠が行われる（図１１のＳ１、Ｓ２）。
【００５５】
ゲストが車内２に乗り込み、起動スイッチ２２を操作すると、制御部１０は虹彩認証処理を実行する（図１１のＳ３）。
【００５６】
すなわち、認証用カメラ９によってゲストの目の虹彩を読み取り、次に、情報記憶部１２に登録されている虹彩情報と比較するのである（図１１のＳ４）。
【００５７】
このときに、登録済みのユーザであると、図６の動作に移行するが（図１１のＳ５）、実際にはゲストであるから、今回は（図１１のＳ６）へと移行する。
【００５８】
この（図１１のＳ６）は、今回乗車したゲストが何回目の乗車かを判断している。
【００５９】
つまり、本実施形態では、図１２のゲストメンバー情報部２５で、３人のゲストにそれぞれ３回の乗車を許可した状態としているので、そのゲストが何回目の乗車かを判断しているのである。
【００６０】
先ず、１番目のゲスト（虹彩で記録済み）であれば、次にその本人の虹彩情報と、カウント（今回は３）を登録する（図１１のＳ７）。
【００６１】
次に、（図１１のＳ８）において、そのゲストのカウントを１回分減算し、自動車駆動手段１１（例えばエンジンやモータ）の起動許可を行う（図１１のＳ８、Ｓ９、Ｓ１０）。
【００６２】
つまり、ゲストが起動スイッチ２２を操作すれば、電源スイッチ１１ａがＯＮし、自動車駆動手段１１（例えばエンジンやモータ）が起動することとなり、ユーザに成り代わり、自動車１の運転を行え、極めて使い勝手の良いものとなるのである。
【００６３】
また、その１番目のゲスト（虹彩で記録済み）が、２回目の運転を行う場合には、（図１１のＳ６）において、すでに虹彩が登録済みなので、今度は（図１１のＳ１１）に進む。
【００６４】
つまり、この１番目のゲストの許可回数がゼロになっていないかを判断するのである。
【００６５】
そして、（図１１のＳ１１）において、ゲストカウントがゼロになっていなければ、上記（図１１のＳ８、Ｓ９、Ｓ１０）へと移行し、自動車駆動手段１１（例えばエンジンやモータ）の起動許可を行う。
【００６６】
また、この１番目のゲストが、すでに３回の乗車を行った場合には、（図１１のＳ１１）から（図１１のＳ１２、Ｓ１３）へと移行し、運転許可は下りないものとなる。
【００６７】
もちろん、２番目のゲストや３番目のゲストは、同じように３回の乗車が可能となる。
【００６８】
以上のように、本実施形態では、ゲストが電源スイッチ１１ａによって自動車駆動手段１１を起動させることを許可するゲスト起動許可情報を、情報記憶部１２に記憶させるゲスト起動許可登録モードを実行可能とし、制御部１０は、前記ゲスト起動許可登録モードが実行された場合で、近距離通信読取部１３によって、自動車ドアの開錠キー情報を読み取った場合には、電源スイッチ１１ａによって自動車駆動手段１１を起動させる構成としたので、ユーザが運転を変わることを依頼した人であれば、ユーザに成り代わって自動車１を運転することができるようになり、極めて使い勝手の良いものとなるのである。
【００６９】
なお、上記実施形態では、認証用カメラ９で虹彩を撮影し、個人認識を行う構成としたが、認証用カメラ９で個人の顔認証を行う構成としても良い。
【産業上の利用可能性】
【００７０】
以上のごとく本発明は、ゲストが前記起動手段によって自動車駆動手段を起動させることを許可するゲスト起動許可情報を、前記情報記憶部に記憶させるゲスト起動許可登録モードを実行可能とし、制御部は、前記ゲスト起動許可登録モードが実行された場合で、近距離通信読取部によって、自動車ドアの開錠キー情報を読み取った場合には、起動手段によって自動車駆動手段を起動させる構成としたので、ユーザが運転を変わることを依頼した人であれば、ユーザに成り代わって自動車を運転することができるようになり、極めて使い勝手の良いものとなるのである。
【００７１】
したがって、ユーザ認証装置と、それを搭載した自動車としての活用が期待される。
【符号の説明】
【００７２】
１  自動車
２  車内
３  ハンドル
４  電子機器
５  表示部
６  スピードメータ
７  タコメータ
８  表示部
９  認証用カメラ
１０  制御部
１１  自動車駆動手段
１１ａ  電源スイッチ
１２  情報記憶部
１３  近距離通信読取部
１４  ドアリモコン送受信機
１５  スピーカ
１６  ドア開錠キー
１７  近距離通信部
１８  送受信部
１９  制御部
２０  操作部
２１  記憶部
２２  起動スイッチ
２３  運転免許証情報部
２４  虹彩情報部
２５  ゲストメンバー情報部
２６  ドア開錠キー情報部
【図１】
2015136960.tif 000003
【図２】
2015136960.tif 000004
【図３】
2015136960.tif 000005
【図４】
2015136960.tif 000006
【図５】
2015136960.tif 000007
【図６】
2015136960.tif 000008
【図７】
2015136960.tif 000009
【図８】
2015136960.tif 000010
【図９】
2015136960.tif 000011
【図１０】
2015136960.tif 000012
【図１１】
2015136960.tif 000013
【図１２】
2015136960.tif 000014